(57)【要約】  往復動ピストン内燃機関のガス交換弁（１）をハイドロリック的に制御するための装置であって、スレーブシリンダ（２）が設けられており、該スレーブシリンダ（２）が、それぞれ１つまたは複数のガス交換弁（１）に作用接続されており、マスタアクチュエータ（１２）が設けられており、該マスタアクチュエータ（１２）が、往復動ピストン内燃機関により回転可能に駆動されるカムシャフト（３５）に設けられた、基本プロフィールとカムプロフィール（１３）とを備えた少なくとも１つのカム（１１）に作用接続されていて、スレーブシリンダ（２）にハイドロリック的に接続可能であり、作動部材（２５）によってコントロールされた制御装置（４）が設けられており、該制御装置（４）が、スレーブシリンダ（２）に供給されるハイドロリック液の量を制御しており、少なくとも１つの供給管路（６）が設けられており、該供給管路（６）を通じて当該装置に、少なくとも１つの逆止弁（５）によって圧力源から低圧液が供給可能である形式のものにおいて、マスタアクチュエータ（１２）が、複数の可動のベーン（１０）と、該ベーン（１０）を支持する構成エレメントと、複数の壁（３４）とによって画定されたセル（８）を有しており、前記ベーン（１０）が、前記少なくとも１つのカム（１１）の基本プロフィールおよびカムプロフィール（１３）に作用接続されていることを特徴とする、往復動ピストン内燃機関のガス交換弁をハイドロリック的に制御するための装置。
2010513767.tif 000002
【特許請求の範囲】
【請求項１】
往復動ピストン内燃機関のガス交換弁（１）をハイドロリック的に制御するための装置であって、スレーブシリンダ（２）が設けられており、該スレーブシリンダ（２）が、それぞれ１つまたは複数のガス交換弁（１）に作用接続されており、マスタアクチュエータ（１２）が設けられており、該マスタアクチュエータ（１２）が、往復動ピストン内燃機関により回転可能に駆動されるカムシャフト（３５）に設けられた、基本プロフィールとカムプロフィール（１３）とを備えた少なくとも１つのカム（１１）に作用接続されていて、スレーブシリンダ（２）にハイドロリック的に接続可能であり、作動部材（２５）によってコントロールされた制御装置（４）が設けられており、該制御装置（４）が、スレーブシリンダ（２）に供給されるハイドロリック液の量を制御しており、少なくとも１つの供給管路（６）が設けられており、該供給管路（６）を通じて当該装置に、少なくとも１つの逆止弁（５）によって圧力源から低圧液が供給可能である形式のものにおいて、マスタアクチュエータ（１２）が、複数の可動のベーン（１０）と、該ベーン（１０）を支持する構成エレメントと、複数の壁（３４）とによって画定されたセル（８）を有しており、前記ベーン（１０）が、前記少なくとも１つのカム（１１）の基本プロフィールおよびカムプロフィール（１３）に作用接続されていることを特徴とする、往復動ピストン内燃機関のガス交換弁をハイドロリック的に制御するための装置。
【請求項２】
ベーン（１０）を支持する構成エレメントが、前記少なくとも１つのカム（１１）を取り囲むステータ（９）として形成されている、請求項１記載の装置。
【請求項３】
セル（８）の個数およびスレーブシリンダ（２）に対するセル（８）の対応関係ならびにカム（１１）の個数が、内燃機関のシリンダ数および点火順序に適合されている、請求項１または２記載の装置。
【請求項４】
ベーン（１０）が、カムプロフィール（１３）の方向に、たとえばばねまたはハイドロリック圧によって負荷されている、請求項１から３までのいずれか１項記載の装置。
【請求項５】
ベーン（１０）が、ステータ（９）に設けられた補償室（２６）に作用接続されており、該補償室（２６）が、ハイドロリック液のための接続部に接続されている、請求項１から４までのいずれか１項記載の装置。
【請求項６】
マスタアクチュエータ（１２）がスレーブシリンダ（２）にハイドロリック管路（３）によってハイドロリック的に接続されており、該ハイドロリック管路（３）が、セル（８）に接続されていると共に、逆止弁（５）によって低圧液のための供給管路（６）に接続されている、請求項１から５までのいずれか１項記載の装置。
【請求項７】
往復動ピストン内燃機関のオイルポンプ（７）が圧力源として働く、請求項１から６までのいずれか１項記載の装置。
【請求項８】
各セル（８）の間に室（１４）が設けられている、請求項１から７までのいずれか１項記載の装置。
【請求項９】
前記室（１４）に有利には少なくとも１つの流出弁（１８）または逃し弁（１９）によってコントロールされた漏れ管路（１７）が接続されている、請求項８記載の装置。
【請求項１０】
カムプロフィール（１３）が、周方向で見て、ガス交換弁（１）の汎用のリフト曲線（１５）の寸法を超えて拡幅されている、請求項１から９までのいずれか１項記載の装置。
【請求項１１】
制御装置（４）が、セル（８）に作用接続された流出開口を有しており、該流出開口の横断面が調節可能である、請求項１から１０までのいずれか１項記載の装置。
【請求項１２】
少なくとも１つの壁（３４）に、セル（８）の個数に相当する流出窓（３０）が設けられている、請求項１１記載の装置。
【請求項１３】
壁（３４）が回転可能に形成されていて、前記流出窓（３０）が、セル（８）と、隣接した室（１４）との間で旋回可能である、請求項１１または１２記載の装置。
【請求項１４】
流出窓（３０）の半径方向の延在長さが、カムプロフィール（１３）の半径方向の延在長さにほぼ相当している、請求項１１から１３までのいずれか１項記載の装置。
【請求項１５】
制御装置（４）が、ハイドロリック管路（３）に接続された補償ピストン（２１）を有しており、該補償ピストン（２１）が、ばね負荷されていて、調節可能な終端ストッパに結合されている、請求項１から１４までのいずれか１項記載の装置。
【請求項１６】
終端ストッパがストッパタペット（２３）として形成されていて、有利には圧縮ばね（２２）を収容するためにポット状に形成されている、請求項１５記載の装置。
【請求項１７】
ストッパタペット（２３）と補償ピストン（２１）とが、互いに向かい合わされた面に、終端位置減衰のための環状溝（２９）を形成している、請求項１５または１６記載の装置。
【請求項１８】
ストッパタペット（２３）が、回転可能に支承された偏心板（２４）に作用接続されている、請求項１５から１７までのいずれか１項記載の装置。
【請求項１９】
前記偏心板（２４）が、１つの共通の軸に配置されており、該軸が、作動部材（２５）に結合されている、請求項１５から１８までのいずれか１項記載の装置。
【請求項２０】
補償ピストン（２１）とストッパタペット（２３）とが、ステータ（９）に、有利には半径方向に向けられて配置されている、請求項１５から１７までのいずれか１項記載の装置。
【請求項２１】
ストッパタペット（２３）が制御リング（３２）に作用接続されており、該制御リング（３２）が、ストッパタペット（２３）に嵌合した制御面（３１）を有しており、該制御面（３１）の半径方向の深さが、周面に沿って変化していて、制御リング（３２）の回転によりストッパタペット（２３）の位置が変化されるようになっている、請求項２０記載の装置。
【請求項２２】
制御リング（３２）がステータ（９）に支承されている、請求項２０または２１記載の装置。
【請求項２３】
制御リング（３２）が、伝動装置エレメント、有利にはウォームねじ山を有しており、該伝動装置エレメントが、第２の伝動装置エレメント、有利にはウォーム（３３）に結合されており、該第２の伝動装置エレメントが前記作動部材（２５）に結合されている、請求項２０から２２までのいずれか１項記載の装置。
【請求項２４】
少なくとも１つのカム（１１）と、複数のセル（８）および該セルに対応する構成部分と、複数の補償ピストン（２１）と、複数のストッパタペット（２３）と、１つの制御リング（３２）とが、ホイール/ディスク状の１つの構成ユニットにまとめられている、請求項１から２３までのいずれか１項記載の装置。
【発明の詳細な説明】
【技術分野】
【０００１】
発明の分野
本発明は、往復動ピストン内燃機関のガス交換弁、つまり吸気弁もしくは排気弁を液圧的もしくはハイドロリック的に制御するための装置であって、スレーブシリンダ設けられており、該スレーブシリンダが、それぞれ１つまたは複数のガス交換弁に作用接続されており、マスタアクチュエータが設けられており、該マスタアクチュエータが、往復動ピストン内燃機関により回転可能に駆動されるカムシャフトに設けられた、基本プロフィールとカムプロフィールとを備えた少なくとも１つのカムに作用接続されていて、スレーブシリンダにハイドロリック的に接続可能であり、作動部材によってコントロールされた制御装置が設けられており、該制御装置が、スレーブシリンダに供給されるハイドロリック液の量を制御しており、少なくとも１つの供給管路が設けられており、該供給管路を通じて当該装置に、少なくとも１つの逆止弁によって圧力源から低圧液が供給可能である形式のものに関する。
【０００２】
発明の背景
米国特許第６８８６５１１号明細書に基づき、このような形式の、往復動ピストン内燃機関のガス交換弁をハイドロリック的に制御するための装置が公知である。この公知の装置では、各スレーブシリンダに、マスタアクチュエータとして形成された押しのけピストンが対応配置されている。この押しのけピストンはカムシャフトに配置されたカムに結合されている。各スレーブシリンダに供給されるハイドロリック液の量は、補償ピストンによって制御される。この補償ピストンのストッパは作動部材によりコントロールされている。さらに、この装置には、とりわけ漏れ損失を補償するための低圧液のための供給管路が逆止弁を介して接続されている。この公知の装置は大きな構成手間を必要とする。なぜならば、各ガス交換弁もしくは各ガス交換弁グループに、作動部材等を備えた専用のユニットが対応配置されているからである。
【０００３】
さらにドイツ連邦共和国特許第２８１３１３２号明細書に基づき、各ガス交換弁に、該ガス交換弁をハイドロリック的に制御するための、スレーブシリンダとマスタシリンダとから形成された装置を対応させることが公知である。この場合、各スレーブシリンダに供給されるハイドロリック液の制御は、マスタシリンダおよび/またはスレーブシリンダに設けられた閉制御部もしくは放圧部（Absteuerung）を介して行われる。この装置においても、構成にかかる手間は相応して大きい。
【０００４】
さらに、欧州特許出願公開第１２７３７７０号明細書に基づき公知の、ガス交換弁をハイドロリック的に制御するための装置では、同じく各１つのスレーブシリンダとマスタシリンダとが設けられている。この場合、各ユニットには１つの圧力アキュムレータが対応配置されており、制御装置が、この圧力アキュムレータ内への放圧部を開放状態に保持していると、この圧力アキュムレータ内には、スレーブシリンダのためには規定されていないハイドロリック液量が貯えられる。この公知の装置においては、構成にかかる手間が一層大きくなる。なぜならば、圧力アキュムレータと制御装置とが分離されているからである。
【０００５】
発明の課題
したがって、本発明の課題は、冒頭で述べた形式の、ガス交換弁をハイドロリック的に制御するための装置を改良して、前記欠点が回避されて、構成にかかる手間が減じられるような装置を提供することである。
【０００６】
発明の要約
本発明の上記課題は、マスタアクチュエータが、複数の可動のベーンと、該ベーンを支持する構成エレメントと、複数の壁とによって画定されたセル（小室）を有しており、前記ベーンが、前記少なくとも１つのカムの基本プロフィールおよびカムプロフィールに作用接続されていることにより解決される。この構成により、多数のセルを備えた１つのポンプユニットが形成される。これらのセルは各スレーブシリンダに接続されているので、唯一つのカムと唯一つの構成エレメントとを用いるだけで複数のガス交換弁またはガス交換弁群が操作可能となる。
【０００７】
本発明の有利な構成では、ベーンを支持する構成エレメントが、前記少なくとも１つのカムを取り囲むステータとして形成されている。
【０００８】
これにより、一種のディスク形の構成ユニットが得られる。この構成ユニットでは、１つのカムにより複数のセルのハイドロリック的な容積が変えられる。ステータは有利には環状に形成されていて、スレーブシリンダのための接続部を有している。
【０００９】
当然ながら、ベーンを支持する構成エレメントを中央のステータとして形成し、カムを内側カムとして１つのリングまたは円筒体に配置することも可能である。
【００１０】
往復動ピストン内燃機関のシリンダの個数に応じて、各１つのカムとステータとを備えた２つまたはそれ以上の構成ユニットを相並んで設けることが有利になり得る。この場合、カムは１つの軸もしくは１つの中空軸に相並んで配置されている。セルの個数およびスレーブシリンダに対するセルの対応関係ならびにカムの個数は、往復動ピストン内燃機関のシリンダ数および点火順序に適合されなければならない。
【００１１】
この構成により、構成手間およびコストの著しい低減が得られる。なぜならば、１つのカムと、複数のベーンを支持する１つのステータとを備えた１つの構成ユニットを用いて複数のスレーブシリンダを制御することができるからである。
【００１２】
ベーンとカムプロフィールとの間の良好な密な接触を確保するためには、ベーンが、カムプロフィールの方向に負荷されていることが提案される。このことは、たとえばばねによって行われ得るか、あるいはまた、カムプロフィールの方向でベーンに作用するハイドロリック圧によっても行われ得る。
【００１３】
ベーンに対するハイドロリック圧の形成は、ステータに設けられた補償室によって行われ得る。この場合、補償室はハイドロリック液のための接続部に接続されていて、相応する圧力で負荷される。
【００１４】
マスタアクチュエータとスレーブシリンダとのハイドロリック的な接続は、有利にはハイドロリック管路によって行われる。これらのハイドロリック管路はセルに接続されていると共に、逆止弁によって低圧液のための供給管路に接続されている。
【００１５】
この場合、有利には、潤滑のためにもともと必要とされている往復動ピストン内燃機関のオイルポンプを圧力源として使用することができる。なぜならば、連続的に必要となる低圧液は漏れを補償するためにしか必要とされず、したがって少量であるからである。
【００１６】
本発明のさらに別の有利な構成では、各セルの間に室が設けられていることが提案される。これにより、各セルは相互間に特定の間隔を有している。これらの室には、漏れ管路が接続されていてよい。これらの漏れ管路は有利には少なくとも１つの流出弁または逃し弁もしくは過圧弁によってコントロールされており、これによりセルに対するカウンタウェイトとして前記室内に特定の液体量および/または液体圧が設定される。
【００１７】
カムのカムプロフィールが、周方向で見て、汎用の弁リフト曲線の寸法を超えて拡幅されていると、ガス交換弁のための広幅のリフト曲線を形成することが可能となる。これにより、たとえば運転時の上死点におけるガス交換弁同士の間の、より大きなオーバラップを発生させるか、もしくはオーバラップを変化させることができる。スレーブシリンダに到達するハイドロリック液の量が変えられることにより、制御装置によって、各ガス交換弁のための、より小幅のリフト曲線が容易に形成可能となる。
【００１８】
本発明のさらに別の有利な構成では、制御装置が、セルに作用接続された流出開口を有しており、該流出開口の横断面が調節可能であることが提案される。このためには、少なくとも１つの壁に、セルの個数に相当する流出窓が設けられていてよい。この場合、この壁が回転可能に形成されていて、前記流出窓が、セルと、隣接した室との間で旋回可能であることが提案される。これにより、カムは流出窓の位置に応じて、スレーブシリンダに到達する量の変化を制御することができる。
【００１９】
流出窓の半径方向の延在長さが、カムプロフィールの半径方向の延在長さにほぼ適合されていると、流出窓の位置に応じて圧送量のゼロ制御も可能になる。
【００２０】
本発明のさらに別の有利な構成では、制御装置が、ハイドロリック管路に接続された補償ピストンを有しており、該補償ピストンが、ばね負荷されていて、調節可能な終端ストッパに結合されている。この終端ストッパは有利にはストッパタペットとして形成されていて、有利にはポット状に形成されているので、前記終端ストッパは圧縮ばねの一部を収容することができる。
【００２１】
ストッパタペットまたは補償ピストンは、互いに向かい合わされた面に環状溝を有しており、これらの環状溝はストッパタペットに対する補償ピストンの終端位置減衰を生ぜしめることができる。この場合、有利にはストッパタペットまたは補償ピストンがフランジを有しており、このフランジが、第２の構成部分に設けられた段部に対して嵌合するので、中央の１つの環状溝が生じる。
【００２２】
ストッパタペットが、回転可能に支承された偏心板に支持されていると有利である。この場合、前記偏心板は対応する１つの共通の軸に取り付けられていてよい。この軸は、回転調節のために形成された作動部材に結合されている。
【００２３】
補償ピストンとストッパタペットとが、ベーンを支持する構成エレメント内に、有利には半径方向に向けられて配置されていると、特にコスト節約型でかつスペース節約型の構成が得られる。この場合、ストッパタペットは制御リングに作用接続されていてよい。この制御リングは、ストッパタペットに嵌合する制御面を有しており、該制御面の深さは、周面に沿って変化していている。制御リングを回転させることにより、制御面はストッパタペットに沿って移動するので、ストッパタペットの位置は半径方向で変化し、補償ピストンは、より大きな補償運動またはより小さな補償運動を実施することができる。この場合、制御リングは直接にステータに支承されていてよい。
【００２４】
制御リングが、伝動装置エレメント、有利にはウォームねじ山を有しており、該伝動装置エレメントが、第２の伝動装置エレメント、有利にはウォームに結合されていると、制御リング、ひいては制御装置の簡単な調節が与えられている。第２の伝動装置エレメントはこの場合、前記作動部材に結合されているので、第２の伝動装置エレメントの回転運動により、スレーブシリンダに到達するハイドロリック液の量の調節が行われる。
【００２５】
少なくとも１つのカムと、複数のセルおよび該セルに対応する構成部分と、複数の補償ピストンと、複数のストッパタペットと、１つの制御リングとを、ホイール/ディスク状の１つの構成ユニットにまとめることができる。これにより、マスタアクチュエータを、対応する制御ユニットと共に、１つのスペース節約型でかつ廉価なユニットにまとめることができる。このユニットには、スレーブシリンダに通じたハイドロリック管路が接続される。
【００２６】
既に述べたように、前記ホイール/ディスク状の複数の構成ユニットを相並んで設けることもできる。
【００２７】
図面の簡単な説明
以下に、本発明の実施例を図面につき詳しく説明する。
【図面の簡単な説明】
【００２８】
【図１】ガス交換弁をハイドロリック的に制御するための装置を、ベーンを支持したステータとカム輪郭とが展開された状態で示す概略図である。
【図２】２つのベーンを備えたステータとカムプロフィールの周方向延在長さの一部を示す断面図ならびに対応するガス交換弁のリフト曲線を示す線図である。
【図３】カムプロフィールが周方向で延長されていて、図２の実施例の場合よりも広幅のリフト曲線が生ぜしめられる実施例を示す、図２と同様の図面である。
【図４】セルの間の室に漏れ管路が接続されている、図１の実施例と同様の実施例を示す概略図である。
【図５】圧送量を変えるための補償ピストンが設けられている、図４の実施例と同様の実施例を示す概略図である。
【図６】１つのセルと、ガス交換弁を備えた１つのスレーブシリンダと、制御装置の細部とを拡大して示す概略図である。
【図７】流出窓を有するマスタアクチュエータユニットの断面図である。
【図８】図７に示したマスタアクチュエータユニットをカムの別の位置で示す断面図である。
【図９】図７および図８に示したマスタアクチュエータユニットを、流出窓の位置が変えられた状態で示す断面図である。
【図１０】図９に示したマスタアクチュエータユニットをカムの別の位置で示す断面図である。
【図１１】図７および図８に示したマスタアクチュエータユニットを、流出窓の位置がさらに変えられた状態で示す断面図である。
【図１２】図１１に示したマスタアクチュエータユニットをカムの別の位置で示す断面図である。
【図１３】カムとセルと制御装置およびその個別部分とを備えた構成ユニットの側面図である。
【００２９】
図面の詳細な説明
図１〜図１３には、符号１でガス交換弁が示されている。ガス交換弁１はスレーブシリンダ２に結合されており、この場合、このスレーブシリンダ２は圧力負荷されるとガス交換弁１を開放することができる。各スレーブシリンダ２には、それぞれ１つのハイドロリック管路３が接続されている。これらのハイドロリック管路３は「ブラックボックス」として図示された制御装置４によってコントロールされている。ハイドロリック管路３は制御装置４の他方の側において分岐された後に一方では逆止弁５に通じている。これらの逆止弁５は低圧液のための供給管路６に接続されており、この場合、この供給管路６はオイルポンプ７に接続されている。ハイドロリック管路３はその分岐後に他方ではセル（小室）８に通じている。これらのセル８はステータ９とベーン１０とカム１１とによって画定されている。カム１１は、図１３に示したカムシャフト３５に装着案内されている。側方の画定もしくは仕切りは各１つの壁を介して行われる。セルとステータとベーンとカムとから成るユニットは「マスタアクチュエータ１２」とも呼ばれる。
【００３０】
カム１１に設けられたカムプロフィール１３がベーン１０に沿って移動すると、セル８内の体積が変化する。ハイドロリック液はハイドロリック管路３を通じて制御装置４にまで圧送され、さらに制御装置４から所要量がスレーブシリンダ２にまで圧送される。
【００３１】
セル８に並んで室１４が設けられており、これらの室１４はセル８の間の間隔を確保している。
【００３２】
図２および図３には、それぞれ１つのセル８が拡大されて図示されており、さらにこれに並んで対応するガス交換弁のためのリフト曲線が図示されている。カムプロフィール１３は図２に示した周方向延在長さＬ１を有しており、これによりリフト曲線１５が形成される。それに対して図３に示した周方向延在長さＬ２は図２の周方向延在長さＬ１よりも著しく大きく形成されているので、広幅のリフト曲線１６が生ぜしめられる。
【００３３】
図４には、図１に示した構成に対して補足的に、室１４に漏れ管路１７が接続されている。これらの漏れ管路１７は１つの流出弁１８によってコントロールされている。
【００３４】
図５に示した実施例では、これらの漏れ管路１７に、１つの過圧弁もしくは逃し弁１９と、さらに符号２０で示した１つの蓄圧器もしくは圧力アキュムレータとが接続されているので、漏れオイルは室１４から流出するのではなく、規定された圧力レベルに保持される。さらに図５から判るように、一般に符号４で示した制御装置が複数の補償ピストン２１を有しており、これらの補償ピストン２１はハイドロリック管路３に接続されている。これらの補償ピストン２１は圧縮ばね２２によって負荷されており、これらの圧縮ばね２２はストッパタペット２３に支持されている。ストッパタペット２３の位置は偏心板２４によってコントロールされる。これらの偏心板２４は１つのシャフトに装着配置されており、この場合、シャフトの位置、ひいては偏心板２４の位置は、作動部材２５によって規定される。
【００３５】
この構成の場合でも、セル８の体積の減小によるセル８内での圧力形成時もしくは増圧時には、ハイドロリック管路３を通じてハイドロリック液が圧送される。この場合、ある程度の増圧を越えると、補償ピストン２１がストッパタペット２３の方向に運動し、そして補償ピストン２１がストッパタペット２３に当接するまで、補償ピストン２１は特定量のハイドロリック液を収容する。その後ではじめて、スレーブシリンダ２内の増圧が行われ、ガス交換弁１の開放行程が行われる。圧縮ばね２２のばね力を、ガス交換弁の閉鎖ばねの開放力に合わせて調整することは、当業者にとっては自明である。
【００３６】
さらに図５から判るように、ステータ９に設けられたベーン１０が補償室２６に作用接続されている。これらの補償室２６は分岐管路を介して各ハイドロリック管路３に接続されているので、セル８内での圧力形成時もしくは増圧時には、補償室２６内での圧力上昇が行われる。これにより、ベーン１０はカムプロフィール１３に押圧されるので、一層良好なシールが得られる。
【００３７】
図６に示した拡大図から判るように、ハイドロリック管路３には圧力室２７が接続されている。この圧力室２７は補償ピストン２１によって画定される。ストッパタペット２３はフランジ２８を有しており、このフランジ２８は補償ピストン２１に設けられた段部を取り囲んでいる。ストッパタペット２３のフランジ２８は補償ピストン２１と共に環状溝２９を形成しており、この環状溝２９はストッパタペット２３における補償ピストン２１の終端位置減衰のために働く。
【００３８】
図７〜図１２には、とりわけセル８の壁が図示されている。この壁は符号３４で示されている。壁３４には、流出窓３０に相応した個数のセルが設けられている。壁３４は回転可能であるので、流出窓３０は、流出窓３０全体が室１４内に位置するか、または流出窓３０全体がセル８内に位置するように調節され得る。
【００３９】
図９および図１０に図示されているような中間位置も可能である。流出窓３０が室１４の範囲に位置している場合、カムプロフィール１３がセル内へ運動すると、セル内で通常の増圧が行われると同時にハイドロリック液の十分な圧送が行われる。図９および図１０に図示されているように、流出窓３０が部分的に室１４に位置しかつ部分的にセル８に位置し、しかもカムプロフィール１３の運動に先行するような位置に位置している場合には、減じられた圧送容量を有する遅延された増圧が行われる。なぜならば、この場合にもちろん放圧されているか、または小さな圧力でしか負荷されていない室１４内へ容量が逃出し得るからである。
【００４０】
図１１および図１２から判るように、流出窓３０は、カムプロフィール１３と同じ半径方向高さを有しているので、流出窓３０がセル８の範囲に位置すると、セル８内での著しい増圧は行われない。なぜならば、流出窓３０の半径方向外側に位置する容量が圧縮されないからである。
【００４１】
図１３では、圧力形成および量制御のために設けられた全ての構成部分が１つの構成ユニットにまとめられている。ストッパタペット２３は半径方向でステータ９から突出していて、制御面３１に作用接続されている。これらの制御面３１は制御リング３２に配置されており、この制御リング３２はステータ９を取り囲むように配置されている。制御リング３２はウォームねじ山を有している。ウォームねじ山は符号３３で示したウォームに作用接続されているので、軸方向で位置固定されたウォームが回転すると、制御リング３２はステータ９を巡って回転させられるので、制御面３１を介してストッパタペット２３は半径方向に運動させられ、これにより量制御が行われる。
【００４２】
この構成ユニットは、逆止弁５もステータ９に取り付けられていることで完成されている。
【符号の説明】
【００４３】
１  ガス交換弁
２  スレーブシリンダ
３  ハイドロリック管路
４  制御装置
５  逆止弁
６  供給管路
７  オイルポンプ
８  セル
９  ステータ
１０  ベーン
１１  カム
１２  マスタアクチュエータ
１３  カムプロフィール
１４  室
１５  リフト曲線
１６  リフト曲線
１７  漏れ管路
１８  流出弁
１９  逃し弁
２０  圧力アキュムレータ
２１  補償ピストン
２２  圧縮ばね
２３  ストッパタペット
２４  偏心板
２５  作動部材
２６  補償室
２７  圧力室
２８  フランジ
２９  環状溝
３０  流出窓
３１  制御面
３２  制御リング
３３  ウォーム
３４  壁
３５  カムシャフト
【図１】
2010513767.tif 000003
【図２】
2010513767.tif 000004
【図３】
2010513767.tif 000005
【図４】
2010513767.tif 000006
【図５】
2010513767.tif 000007
【図６】
2010513767.tif 000008
【図７】
2010513767.tif 000009
【図８】
2010513767.tif 000010
【図９】
2010513767.tif 000011
【図１０】
2010513767.tif 000012
【図１１】
2010513767.tif 000013
【図１２】
2010513767.tif 000014
【図１３】
2010513767.tif 000015
【国際調査報告】
2010513767.tif 000016
2010513767.tif 000017
2010513767.tif 000018
2010513767.tif 000019
2010513767.tif 000020
2010513767.tif 000021